(57)【要約】【課題】  ９０度の回転角度で全開／全閉となる一般的な弁であっても、構造が簡単であるに拘らず開度を大きくすることができ、しかも、部品点数を削減でき、構造を簡単に、また、小形にすることができ、さらに、移動体との位置関係を狂い難くすることができるようにする。【解決手段】  弁体５２の回転中心部Ｏに連動連結され、且つ前記弁体５２の回転方向へ離隔して配され、矢印Ｘ方向へ直線移動することが可能な移動体８に当接すべき第１及び第２の当接条部９２，９３を有するレバー体９の第１及び第２の当接条部９２，９３を、前記レバー体９が開位置／閉位置に停止しているとき、前記回転中心部Ｏから前記直線移動の方向と直交する方向へ垂下された垂下線Ｙより前記直線移動の方向の一方側にある構成とした。【選択図】        図６
2006314976.tif 000002
【特許請求の範囲】
【請求項１】
並置された複数のノズル及び夫々のノズルに通じる液通路を回転により開閉する複数の弁体を有する元杆と、並置された複数のノズル及び前記元杆のノズルの並置方向へ直線移動することが可能な移動体を有し、前記元杆の長手方向へ摺動が可能な先杆と、前記夫々の弁体の回転中心部に連動連結され、且つ前記弁体の回転方向へ離隔して配され、前記移動体に当接すべき第１及び第２の当接条部を有するレバー体とを備え、前記移動体が前記第１及び第２の当接条部の一方又は他方に当接することにより前記レバー体及び前記弁体が開位置／閉位置に回転するように構成された液散布装置において、前記第１及び第２の当接条部は、前記レバー体が開位置／閉位置に停止しているとき、前記回転中心部から前記直線移動の方向と直交する方向へ垂下された垂下線より前記直線移動の方向の一方側にあることを特徴とする液散布装置。
【請求項２】
並置された複数のノズル及び夫々のノズルに通じる液通路を回転により開閉する複数の弁体を有する元杆と、並置された複数のノズル及び前記元杆のノズルの並置方向へ直線移動することが可能な移動体を有し、前記元杆の長手方向へ摺動が可能な先杆と、前記夫々の弁体の回転中心部に連動連結され、且つ前記弁体の回転方向へ離隔して配され、前記移動体に当接すべき第１及び第２の当接条部を有するレバー体とを備え、前記移動体が前記第１及び第２の当接条部の一方又は他方に当接することにより前記レバー体及び前記弁体が開位置／閉位置に回転するように構成された液散布装置において、前記第１及び第２の当接条部の前記回転中心部より離隔した先側部分は、前記回転方向の角度が前記回転中心部側部分の前記回転方向の角度より小さい位置に設けてあることを特徴とする液散布装置。
【請求項３】
前記レバー体は前記第１及び第２の当接条部に前記移動体を案内する案内条部を有する請求項１又は２記載の液散布装置。
【発明の詳細な説明】
【技術分野】
【０００１】
本発明は複数のノズルが並置された元杆及び先杆を備える液散布装置に関する。
【背景技術】
【０００２】
圃場に液剤を散布する液散布装置としてブームスプレーヤが知られている。このブームスプレーヤは、並置された複数のノズル及び回転により夫々のノズルの液通路を開閉する弁体を有する元杆と、並置された複数のノズル及び前記弁体の夫々を開位置／閉位置に回転させるべき移動体を有し、元杆の長手方向へ摺動が可能な先杆とを備えており、該先杆が元杆の長手方向先方へ摺動された場合、先杆及び元杆のノズルから液を噴霧し、また、先杆が元杆の長手方向元方へ摺動された場合、先杆に設けられた移動体が元杆の夫々の弁を閉位置へ回転させ、元杆のノズルから液を噴霧しないように構成されている（例えば、特許文献１参照。）。
【０００３】
また、特許文献１の弁は、回転により液通路を開閉する弁体と、該弁体の回転中心部に連動連結され、前記弁体の回転方向へ離隔して配された第１及び第２の当接部を有する回動板と、自重で垂下するように前記回動板に枢支され、前記第１及び第２の当接部に当接する係合突起を有するレバー体とを備え、前記先杆の摺動により前記移動体が前記レバー体を回転させ、該レバー体の係合突起が第１及び第２の当接部の一方に当接し、前記回動板を介して弁体を開位置又は閉位置に回転させ、前記レバー体は定位置に自重で復帰するように構成されている。
【０００４】
また、回転により液通路を開閉する弁体と、該弁体の回転中心部に連動連結されたレバー体と、該レバー体を中立位置に付勢する付勢ばねとを備え、先杆に設けられた移動体が一方へ直線移動するとき前記レバー体を揺動させ、弁体を開位置に回転させた後、レバー体が付勢ばねの力で復帰し、また、前記移動体が他方へ直線移動するとき前記レバー体を揺動させ、弁体を閉位置に回転させた後、レバー体が付勢ばねの力で復帰するように構成されたブームスプレーヤも知られている（例えば、特許文献２参照。）。
【特許文献１】特開２００１−２８６８０１号公報
【特許文献２】特開２００３−２８９７８４号公報
【発明の開示】
【発明が解決しようとする課題】
【０００５】
ところが、特許文献１のブームスプレーヤに用いられる弁は、弁体と該該弁体の回転中心部に連動連結された回動板と、該回動板に枢支されたレバー体とを備えるため、部品点数が多く、構造が複雑であり、しかも大形になると言う問題があり、また、レバー体は自重で垂下するため、圃場の凹凸等によりブームスプレーヤが振動する場合、前記レバー体が不測に回転し、前記移動体との位置関係が狂うことになるという問題もあった。
【０００６】
また、特許文献２のブームスプレーヤに用いられる弁は、弁体と該弁体の回転中心部に連動連結されたレバー体及び該レバー体を付勢する付勢ばねとを備えるため、部品点数が多く、構造が複雑であり、しかも大形になると言う問題があった。
【０００７】
本発明は上述のような事情に鑑みてなされたものであり、主たる目的は移動体に当接すべき第１及び第２の当接条部を有するレバー体の前記第１及び第２の当接条部を、前記レバー体が開位置／閉位置に停止しているとき、回転中心部から移動体の直線移動の方向と直交する方向へ垂下された垂下線より前記直線移動の方向の一方側にある構成とすることにより、部品点数を削減でき、構造を簡単に、しかも小形にすることができ、さらに、移動体との位置関係が狂い難い液散布装置を提供することにある。
【０００８】
また、他の目的は移動体に当接すべき第１及び第２の当接条部を有するレバー体の前記第１及び第２の当接条部の、前記レバー体の回転中心部より離隔した先側部分を、前記レバー体の回転方向の角度が前記回転中心部側部分の前記回転方向の角度より小さい位置に設けることにより、部品点数を削減でき、構造を簡単に、しかも小形にすることができ、さらに、移動体との位置関係が狂い難い液散布装置を提供することにある。
【０００９】
また、他の目的はレバー体に、第１及び第２の当接条部に移動体を案内する案内条部を設けることにより、先杆が進出摺動される場合の移動体の移動軌道と、先杆が後退摺動される場合の移動体の移動軌道とがずれている場合においても、移動体の移動が阻害されることをなくすることができる液散布装置を提供することにある。
【課題を解決するための手段】
【００１０】
第１発明に係る液散布装置は、並置された複数のノズル及び夫々のノズルに通じる液通路を回転により開閉する複数の弁体を有する元杆と、並置された複数のノズル及び前記元杆のノズルの並置方向へ直線移動することが可能な移動体を有し、前記元杆の長手方向へ摺動が可能な先杆と、前記夫々の弁体の回転中心部に連動連結され、且つ前記弁体の回転方向へ離隔して配され、前記移動体に当接すべき第１及び第２の当接条部を有するレバー体とを備え、前記移動体が前記第１及び第２の当接条部の一方又は他方に当接することにより前記レバー体及び前記弁体が開位置／閉位置に回転するように構成された液散布装置において、前記第１及び第２の当接条部は、前記レバー体が開位置／閉位置に停止しているとき、前記回転中心部から前記直線移動の方向と直交する方向へ垂下された垂下線より前記直線移動の方向の一方側にあることを特徴とする。
【００１１】
第１発明にあっては、先杆が元杆の先方向へ摺動するとき、先杆に設けられている移動体が直線移動しつつレバー体の第１の当接条部に当接し、移動体及び第１の当接条部の接触位置が変わりつつレバー体及び弁体が開位置に向けて回転し、レバー体が開位置に回転したとき、移動体が第１の当接条部の位置を通過し、レバー体は開位置に停止し、この開位置に維持することができる。
【００１２】
また、先杆が元杆の元方向へ摺動するとき、先杆に設けられている移動体が直線移動しつつレバー体の第２の当接条部に当接し、移動体及び第２の当接条部の接触位置が変わりつつレバー体及び弁体が閉位置に向けて回転し、レバー体が閉位置に回転したとき、移動体が第２の当接条部の位置を通過し、レバー体は閉位置に停止し、この閉位置に維持することができる。このように移動体の直線移動により回転するレバー体の第１及び第２の当接条部は、レバー体が開位置／閉位置に停止しているとき、弁体の回転中心部から移動体の直線移動の方向と直交する方向へ垂下された垂下線より前記直線移動の方向の一方側に設けられているため、移動体によるレバー体及び弁体の回転角度を比較的大きくでき、該回転角度を９０度に近付けることができる。従って、９０度の回転角度で全開／全閉となる一般的な弁であっても、構造が簡単であるに拘らず開度を大きくすることができる。
【００１３】
第２発明に係る液散布装置は、並置された複数のノズル及び夫々のノズルに通じる液通路を回転により開閉する複数の弁体を有する元杆と、並置された複数のノズル及び前記元杆のノズルの並置方向へ直線移動することが可能な移動体を有し、前記元杆の長手方向へ摺動が可能な先杆と、前記夫々の弁体の回転中心部に連動連結され、且つ前記弁体の回転方向へ離隔して配され、前記移動体に当接すべき第１及び第２の当接条部を有するレバー体とを備え、前記移動体が前記第１及び第２の当接条部の一方又は他方に当接することにより前記レバー体及び前記弁体が開位置／閉位置に回転するように構成された液散布装置において、前記第１及び第２の当接条部の前記回転中心部より離隔した先側部分は、前記回転方向の角度が前記回転中心部側部分の前記回転方向の角度より小さい位置に設けてあることを特徴とする。
【００１４】
第２発明にあっては、先杆が元杆の先方向へ摺動するとき、先杆に設けられている移動体が直線移動しつつレバー体の第１の当接条部に当接し、移動体及び第１の当接条部の接触位置が変わりつつレバー体及び弁体が開位置に向けて回転し、レバー体が開位置に回転したとき、移動体が第１の当接条部の位置を通過し、レバー体は開位置に停止し、この開位置に維持することができる。
【００１５】
また、先杆が元杆の元方向へ摺動するとき、先杆に設けられている移動体が直線移動しつつレバー体の第２の当接条部に当接し、移動体及び第２の当接条部の接触位置が変わりつつレバー体及び弁体が閉位置に向けて回転し、レバー体が閉位置に回転したとき、移動体が第２の当接条部の位置を通過し、レバー体は閉位置に停止し、この閉位置に維持することができる。このように移動体の直線移動により回転するレバー体の第１及び第２の当接条部は、弁体の回転中心部より離隔した先側部分を、前記回転中心部側の部分より前記回転方向の角度が小さい位置に設けてあるため、移動体によるレバー体及び弁体の回転角度を比較的大きくでき、該回転角度を９０度に近付けることができる。従って、９０度の回転角度で全開／全閉となる一般的な弁であっても、構造が簡単であるに拘らず開度を大きくすることができる。
【００１６】
第３発明に係る液散布装置は、前記レバー体は前記第１及び第２の当接条部に前記移動体を案内する案内条部を有することを特徴とする。
【００１７】
第３発明にあっては、先杆が進出摺動される場合の移動体の移動軌道と、先杆が後退摺動される場合の移動体の移動軌道とがずれている場合においても、直線移動する移動体をレバー体の案内条部に当接させることが可能であり、この案内条部との接触によりレバー体を回転させつつ案内条部から第１及び第２の当接条部の一方に移動体を当接させることができるため、移動体の移動が阻害されることをなくすることができる。
【発明の効果】
【００１８】
第１発明によれば、移動体の直線移動により回転するレバー体の第１及び第２の当接条部は、レバー体が開位置／閉位置に停止しているとき、弁体の回転中心部から移動体の直線移動の方向と直交する方向へ垂下された垂下線より前記直線移動の方向の一方側に設けられているため、移動体によるレバー体及び弁体の回転角度を比較的大きくでき、９０度の回転角度で全開／全閉となる一般的な弁であっても、構造が簡単であるに拘らず開度を大きくすることができる。しかも、部品点数を削減でき、構造を簡単に、また、小形にすることができ、さらに、移動体との位置関係を狂い難くすることができる。
【００１９】
第２発明によれば、移動体の直線移動により回転するレバー体の第１及び第２の当接条部は、弁体の回転中心部より離隔した先側部分を、前記回転中心部側の部分より前記回転方向の角度が小さい位置に設けてあるため、移動体によるレバー体及び弁体の回転角度を比較的大きくでき、９０度の回転角度で全開／全閉となる一般的な弁であっても、構造が簡単であるに拘らず開度を大きくすることができる。しかも、部品点数を削減でき、構造を簡単に、また、小形にすることができ、さらに、移動体との位置関係を狂い難くすることができる。
【００２０】
第３発明によれば、先杆が進出摺動される場合の移動体の移動軌道と、先杆が後退摺動される場合の移動体の移動軌道とがずれている場合においても、直線移動する移動体をレバー体の案内条部に当接させることが可能であり、移動体の移動が阻害されることをなくすることができる。
【発明を実施するための最良の形態】
【００２１】
以下本発明をその実施の形態を示す図面に基づいて詳述する。
実施の形態１
図１は本発明に係る液散布装置の実施の形態１の構成を示す概略正面図、図２は液散布装置の元杆及び先杆部分を拡大した概略正面図、図３は元杆の一部を拡大した正面図である。
【００２２】
この液散布装置は、機体１と、該機体１に搭載された液タンク２及び液タンク２内の薬液等の液剤を吸込むポンプと、機体１に元部が枢支された元杆３と、該元杆３に、元杆３の長手方向へ摺動が可能に連結された先杆４とを備える。
【００２３】
元杆３の元部には電動モータにより駆動される駆動輪１０が設けられ、先部には従動輪１１が設けられ、駆動輪１０及び従動輪１１に掛設されたワイヤ１２の両端が先杆４の元部に取着され、前記電動モータが正駆動されることによりワイヤ１２を介して先杆４を進出移動させ、前記電動モータが逆駆動されることによりワイヤ１２を介して先杆４を後退移動させるように構成されている。
【００２４】
元杆３及び先杆４は、角筒部３ａ，４ａ及び該角筒部３ａ，４ａの一側に一体成形された円筒部３ｂ，４ｂを有しており、元杆３の円筒部３ｂの元側端が前記ポンプの吐出路に接続され、先杆４の元側端はコイル状の可撓ホース１３によりポンプの吐出路に連結されており、夫々の円筒部３ｂ，４ｂ内が液通路３０，４０になっている。
【００２５】
図４は要部の構成を示す拡大縦断面図、図５はレバー体及び移動体の構成を示す正面図、図６はレバー体及び移動体の関係を示す説明図である。元杆３の円筒部３ｂには、長手方向へ離隔した位置で液通路３０に開口する複数の分岐孔３１と、夫々の分岐孔３１部分に取着された弁５、及び夫々の弁５に取着されたノズル６が設けられている。
【００２６】
先杆４の円筒部４ｂには、長手方向へ離隔した位置で分岐する複数の分岐孔４１と、夫々の分岐孔４１に取着されたノズル７とが設けられている。また、先杆４の元部には先杆４の長手方向と交差する方向であり、且つ元杆３に向けて延出され、円柱形をなすピンを用いてなる一つの移動体８が設けられている。
【００２７】
この移動体８は先杆４が元杆３に対して長手方向へ摺動することにより、元杆３の長手方向へ直線移動するように構成されている。
【００２８】
弁５は円筒部３ｂの分岐孔３１に嵌入される嵌入筒部５１ａ及び嵌入筒部５１ａ内を経て液通路３０に連通する液通路５１ｂを有する弁箱５１と、該弁箱５１内に回転自在に保持され、回転により液通路５１ｂを開閉する弁体５２とを備えており、該弁体５２の端部で回転中心部Ｏにレバー体９が嵌入固定されている。
【００２９】
弁体５２は一端部に弁部５２ａを有し、他端部に嵌合部５２ｂを有し、中途がナット部材５３により弁箱５１に取着された略棒形をなしており、嵌合部５２ｂにレバー体９が嵌合固定、換言すれば連動連結されている。
【００３０】
レバー体９は、嵌合部５２ｂに挿嵌される嵌合孔９１と、該嵌合孔９１の周りから弁体５２の回転方向へ離隔して配され、且つ弁体５２の回転方向へ直線移動する移動体８の周面に当接すべき第１及び第２の当接条部９２，９３と、第１及び第２の当接条部９２，９３に移動体８を案内する案内条部９４，９４とを有する。
【００３１】
このレバー体９は略三角形をなす金属板からなり、一つの角部に嵌合孔９１が設けられ、他の二つの角部間の一辺の中央部に、嵌合孔９１側が凹となる凹所９５が設けられており、該凹所９５の一側を第１の当接条部９２とし、凹所９５の他側を第２の当接条部９３としてあり、移動体８が第１の当接条部９２に当接することによりレバー体９は開位置へ回転し、移動体８が第２の当接条部９３に当接することによりレバー体９は閉位置へ回転するように構成されている。また、他の二つの角部間の一辺の長手方向両側、換言すれば凹所９５と他の二つの角部間を案内条部９４，９４としてある。
【００３２】
第１の当接条部９２は、レバー体９が閉位置に停止しているとき、回転中心部Ｏから直線移動の方向Ｘと直交する方向へ垂下された垂下線Ｙより前記直線移動の方向Ｘの一側にあり、第２の当接条部９３は、レバー体９が開位置に停止しているとき、回転中心部Ｏから直線移動の方向Ｘと直交する方向へ垂下された垂下線Ｙより前記直線移動の方向の一側にあるように形成されている。
【００３３】
また、第１及び第２の当接条部９２，９３は、回転中心部Ｏより離隔した先側縁と垂下線Ｙとの間の距離Ｌ１，Ｌ１が、凹所９５の最深部、換言すれば第１及び第２の当接条部９２，９３の境界部と回転中心部Ｏ間の距離Ｌ２と等しいか、又は距離Ｌ２より長くなるように形成されている。
【００３４】
案内条部９４，９４は直線移動の方向Ｘに対して傾斜しており、レバー体９と移動体８との位置関係がずれている場合においても、移動体８をレバー体９の案内条部９４，９４に当接させることができるように構成されている。
【００３５】
以上のように構成された液散布装置は、圃場に液剤を散布する散布領域が比較的広い場合、先杆４が元杆３の長手方向先側へ進出され、元杆３及び先杆４の夫々のノズル６，７から液剤が噴霧される。また、圃場に液剤を散布する散布領域が比較的狭い場合、先杆４が元杆３の長手方向元側へ後退され、元杆３の弁５が閉じられ、先杆４のノズル７から液剤が噴霧される。
【００３６】
先杆４が元杆３の長手方向先側へ進出摺動される場合、レバー体９及び弁体５２は図６の(a) のように閉位置に停止している。この状態で先杆４が元杆３の長手方向先側へ進出摺動すると、先杆４に設けられている移動体８が図６の(a) の第２の当接条部９３を通過し、第１の当接条部９２に当接し、レバー体９は図６の反時計方向へ回転し、図６の(b) の半開位置を経て図６の(c) の開位置へ回転し、移動体８は第１の当接条部９２を通過し、隣合う弁５に向けて直線移動し、順次レバー体９及び弁体５２は開位置に回転する。このとき、第１の当接条部９２は図６の(a) のように垂下線Ｙより直線移動の方向Ｘの一方側にあるため、レバー体９の回転角度をほぼ８５〜９０度にすることができ、弁体５２の全開／全閉となる回転角度（９０度）に近づけることができる。
【００３７】
図７、図８はレバー体及び移動体の位置関係がずれている場合の説明図である。先杆４が進出摺動される場合の移動体８の移動軌道Ａと、先杆４が後退摺動される場合の移動体８の移動軌道Ｂとが図７の上下方向へずれている場合、移動体８は例えば図８に示すように第２の当接条部９３に連なる案内条部９４に当接し、レバー体９を図８の時計方向へ若干回転させた後、移動体８が第２の当接条部９３を通過することになるため、移動体８の移動が阻害されることをなくすることができる。
【００３８】
先杆４が元杆３の長手方向元側へ後退摺動される場合、レバー体９及び弁体５２は図６の(c) のように開位置に停止している。この状態で先杆４が元杆３の長手方向元側へ後退摺動すると、先杆４に設けられている移動体８が図６の(c) の第１の当接条部９２を通過し、第２の当接条部９３に当接し、レバー体９は図６の時計方向へ回転し、図６の(b) の半開位置を経て図６の(a) の閉位置へ回転し、移動体８は第２の当接条部９３を通過し、隣合う弁５に向けて直線移動し、順次レバー体９及び弁体５２は閉位置に回転する。このとき、第２の当接条部９３は図６の(c) のように垂下線Ｙより直線移動の方向Ｘの一方側にあるため、レバー体９の回転角度をほぼ８５〜９０度にすることができ、弁体５２の全開／全閉となる回転角度（９０度）に近づけることができる。
【００３９】
また、先杆４が進出摺動される場合の移動体８の移動軌道Ａと、先杆４が後退摺動される場合の移動体８の移動軌道Ｂとが図７の上下方向へずれている場合、移動体８は第１の当接条部９２に連なる案内条部９４に当接し、レバー体９を図８の反時計方向へ若干回転させた後、移動体８が第１の当接条部９２を通過することになるため、移動体８の移動が阻害されることをなくすることができる。
【００４０】
実施の形態２
図９は実施の形態２の構成を示す要部の正面図である。この液散布装置は略三角形をなす金属板からなるレバー体９の凹所９５を嵌合孔９１側が凹となる円形とし、該凹所９５の半円弧部分の一方を第１の当接条部９２とし、凹所９５の半円弧部分の他方を第２の当接条部９３としたものであり、第１及び第２の当接条部９２，９３の回転中心部Ｏより離隔した先側部分９２ａ，９３ａは、回転方向の角度θ１が回転中心部側部分９２ｂ，９３ｂの回転方向の角度θ２より小さい位置に設けてある。
【００４１】
また、第１及び第２の当接条部９２，９３は、回転中心部Ｏより離隔した先側縁と垂下線Ｙとの間の距離Ｌ１，Ｌ１が、凹所９５の最深部、換言すれば第１及び第２の当接条部９２，９３の境界部と回転中心部Ｏ間の距離Ｌ２と等しいか、又は距離Ｌ２より長くなるように形成されている。
【００４２】
また、他の二つの角部間の一辺の長手方向両側、換言すれば凹所９５と他の二つの角部間を案内条部９４，９４としてある。
その他の構成及び作用は実施の形態１と同様であるため、同様の部品については同じ符号を付し、その詳細な説明及び作用効果の説明を省略する。
【００４３】
実施の形態３
図１０は実施の形態３の構成を示す要部の正面図である。この液散布装置は略Ｌ字形をなす金属板からなるレバー体９ａを備える。このレバー体９ａは中央の屈曲角部に嵌合孔９１を有し、一端部の内側に第１の当接条部９２を有し、他端部の内側に第２の当接条部９３を有する。第１及び第２の当接条部９２，９３の回転中心部Ｏより離隔した先側部分９２ａ，９３ａは凸に湾曲している。また、第１及び第２の当接条部９２，９３の回転中心部Ｏより離隔した先側部分９２ａ，９３ａは、回転方向の角度θ１が回転中心部側部分９２ｂ，９３ｂの回転方向の角度θ２より小さい位置に設けてある。
【００４４】
また、第１及び第２の当接条部９２，９３は、回転中心部Ｏより離隔した先側縁と垂下線Ｙとの間の距離Ｌ１，Ｌ１が、第１及び第２の当接条部９２，９３の境界部と回転中心部Ｏ間の距離Ｌ２と等しいか、又は距離Ｌ２より長くなるように形成されている。
また、レバー体９の両端縁には案内条部９４，９４が設けられている。
その他の構成及び作用は実施の形態１と同様であるため、同様の部品については同じ符号を付し、その詳細な説明及び作用効果の説明を省略する。
【００４５】
図１１及び図１２は移動体の他の構成を示す断面図である。以上説明した実施の形態では移動体８として円柱形をなすピンを用いたが、その他、移動体８は例えば図１１に示すように第１及び第２の当接条部９２，９３に当接する部分に尖部８ａを有する角柱形をなす構成としてもよいし、また、図１２に示すように第１及び第２の当接条部９２，９３に当接する部分に湾曲部８ｂを有する非円柱形をなす構成としてもよく、移動体８の構成は特に制限されない。
【００４６】
また、以上説明した液散布装置は、元杆３の先側に一つの先杆４を備える構成としたが、その他、元杆３の先側に複数の先杆４を備える構成としてもよい。
【図面の簡単な説明】
【００４７】
【図１】本発明に係る液散布装置の実施の形態１の構成を示す概略正面図である。
【図２】本発明に係る液散布装置の元杆及び先杆部分を拡大した概略正面図である。
【図３】本発明に係る液散布装置の元杆の一部を拡大した正面図である。
【図４】本発明に係る液散布装置の要部の構成を示す拡大縦断面図である。
【図５】本発明に係る液散布装置のレバー体及び移動体の構成を示す正面図である。
【図６】本発明に係る液散布装置のレバー体及び移動体の関係を示す説明図である。
【図７】本発明に係る液散布装置のレバー体及び移動体の位置関係がずれている場合の説明図である。
【図８】本発明に係る液散布装置のレバー体及び移動体の位置関係がずれている場合の説明図である。
【図９】本発明に係る液散布装置の実施の形態２の構成を示す要部の正面図である。
【図１０】本発明に係る液散布装置の実施の形態３の構成を示す要部の正面図である。
【図１１】本発明に係る液散布装置の移動体の他の構成を示す断面図である。
【図１２】本発明に係る液散布装置の移動体の他の構成を示す断面図である。
【符号の説明】
【００４８】
３    元杆
４    先杆
５    弁
５２  弁体
５１ｂ  液通路
３０    液通路
６，７  ノズル
８    移動体
Ｏ    回転中心部
９    レバー体
９２  第１の当接条部
９３  第２の当接条部
９４  案内条部
Ｘ    直線移動の方向
Ｙ    垂下線
【図１】
2006314976.tif 000003
【図２】
2006314976.tif 000004
【図３】
2006314976.tif 000005
【図４】
2006314976.tif 000006
【図５】
2006314976.tif 000007
【図６】
2006314976.tif 000008
【図７】
2006314976.tif 000009
【図８】
2006314976.tif 000010
【図９】
2006314976.tif 000011
【図１０】
2006314976.tif 000012
【図１１】
2006314976.tif 000013
【図１２】
2006314976.tif 000014